(57)【要約】      （修正有）【課題】位置決めリブ又は補助リブの強度が向上すると共に、金型耐久性も向上し、位置決めリブ及び補助リブの断面形状をＸ軸、Ｙ軸、及びＺ軸に直角な不連続形状とすることにより、金型加工コストが削減でき、成形性及び離型性に優れたカセット収納ケースの提供。【解決手段】ケース本体１１と、蓋体１２と、連結部１３とを備え、ケース本体が、ケース本体に収納されるテープカセットにおける四隅部でテープカセットに当接する位置決めリブ２３Ａ〜２３Ｈを有し、位置決めリブが略Ｌ字形状であり、位置決めリブのそれぞれの端縁からケース本体の側壁に向かって延設される補助リブ５４Ａ、５４Ｂを有し、ケース本体の側壁と補助リブとの間に空隙を有し、補助リブにおける端面の高さがケース本体における側壁の高さよりも低いカセット収納ケースである。【選択図】図３
2008105700.tif 000002
【特許請求の範囲】
【請求項１】
テープカセットを収納するケース本体と、該ケース本体に被せられる蓋体と、前記ケース本体及び該蓋体を開閉可能に連結する連結部とを備えたカセット収納ケースであって、
前記ケース本体が、該ケース本体に収納される前記テープカセットにおける四隅部で該テープカセットに当接する位置決めリブを有し、
前記位置決めリブが略Ｌ字形状であり、該位置決めリブのそれぞれの端縁から前記ケース本体の側壁に向かって延設される補助リブを有し、
前記ケース本体の側壁と前記補助リブとの間に空隙を有し、該補助リブにおける端面の高さが前記ケース本体における側壁の高さよりも低いことを特徴とするカセット収納ケース。
【請求項２】
補助リブの断面形状が、ケース本体の側壁に向かって不連続に形成されている請求項１に記載のカセット収納ケース。
【請求項３】
補助リブの断面形状が、ケース本体の側壁に向かって階段状に形成されている請求項１から２のいずれかに記載のカセット収納ケース。
【請求項４】
補助リブの端面が、ケース本体の側壁に向かって漸次傾斜してテーパー面を形成している請求項１から３のいずれかに記載のカセット収納ケース。
【請求項５】
テープカセットを収納するケース本体と、該ケース本体に被せられる蓋体と、前記ケース本体及び該蓋体を開閉可能に連結する連結部とを備えたカセット収納ケースであって、
前記ケース本体が、該ケース本体に収納される前記テープカセットにおける四隅部以外の位置で該テープカセットに当接する位置決めリブを有し、
前記位置決めリブが、前記ケース本体の側壁から、収納されるテープカセットにおける四隅部以外の四辺に向かって延設され、
前記ケース本体の側壁と前記位置決めリブとの間に空隙を有し、該位置決めリブにおける端面の高さが前記ケース本体における側壁の高さよりも低いことを特徴とするカセット収納ケース。
【請求項６】
位置決めリブの断面形状が、ケース本体の側壁に向かって不連続に形成されている請求項５に記載のカセット収納ケース。
【請求項７】
位置決めリブの断面形状が、ケース本体の側壁に向かって階段状に形成されている請求項５から６のいずれかに記載のカセット収納ケース。
【請求項８】
位置決めリブの端面が、ケース本体の側壁に向かって漸次傾斜してテーパー面を形成している請求項５から７のいずれかに記載のカセット収納ケース。
【発明の詳細な説明】
【技術分野】
【０００１】
本発明は、放送局等で使用される小型のテープカセットを収納するのに好適に用いられるカセット収納ケースに関する。
【背景技術】
【０００２】
一般に、放送局等で用いられるテープカセットは、市販のビデオテープカセットなどに比べて大型で重量が大きいため、落下時にはテープカセットにかかる衝撃が大きく、テープカセットの損傷の原因となる。このため、テープカセットが衝撃によって損傷することを防ぐため、保管や搬送時には専用の合成樹脂製の大型カセット収納ケースに収納されている。
また、最近の録画取材専用テレビカメラには、携帯性の良好な小型デジタルビデオカメラが使用されるようになってきている。このような携帯用デジタルビデオカメラに装填して用いられる小型デジタルビデオカセット（ＤＶ）としては、収録時間の異なる複数種のサイズがあり、それぞれ専用のテープカセット収納ケースに収納して市販されている。この小型テープカセット収納ケースは、金型製作コストを抑える目的で、大型カセット収納ケース用金型を転用して小型カセット収納ケース用金型を作製し、この金型を用いて製造されている。
このような小型カセット収納ケースとしては、例えば、図１〜図４に示すものがある（特許文献１参照）。
【０００３】
図１はカセット収納ケース１０の全体斜視図、図２はその平面図、図３は図２のケース本体の拡大図、図４は図３のＢ−Ｂ線方向断面図である。このカセット収納ケース１０は、テープカセットが収納されるケース本体１１と、このケース本体１１に被せられる蓋体１２と、ケース本体１１と蓋体１２とを開閉可能に連結する連結部１３とを備えている。
【０００４】
ケース本体１１は略長方形状の底板部２１を有しており、この底板部２１には、その周縁に沿って４つの側壁２２ｆ，２２ｂ，２２ｓ及び２２ｓがそれぞれ連続的に立設されている。
側壁２２ｆ，２２ｂ，２２ｓによって囲まれる領域の底板部２１上には、テープカセットを収納する収納部を形成するための略Ｌ字形状の位置決めリブ２３Ａ，２３Ｂ，２３Ｃ及び２３Ｄが立設されている。
これら略Ｌ字形状の位置決めリブ２３Ａ〜２３Ｄは、収納されるテープカセットの四隅部に対応する位置に、底板部２１に一体形成されており、該位置決めリブ２３Ａ〜２３Ｄのそれぞれの端縁からケース本体の側壁２２ｆ，２２ｂ，２２ｓに向かって補助リブ５４Ａ，５４Ｂが延設されている。
しかし、補助リブ５４Ｂは、図４に示すように、ケース本体からテープカセットの取り出し性を高めるため、ケース本体の側壁２２ｓの高さｔ１と補助リブ５４Ｂの高さｔ２とが同じ高さに設けられている。このため、（１）補助リブ５４Ｂにおける端面１０３とケース本体の側壁２２ｓとからなる隙間１０２が細くて長い、いわゆる「弱小部分」であるため、成形時の金型の耐久性が劣るという問題がある。また（２）補助リブ５４Ｂの断面形状において連続直線部分が長く形成されているため離型抵抗が大きくなり、Ｘ軸、Ｙ軸、及びＺ軸に直角でないため金型加工に手間がかかり金型作製コストが高くなるという問題がある。更に（３）補助リブ５４Ｂにおける端面１０３の抜き勾配が小さいため、成形時の離型性が悪いという問題がある。
【０００５】
【特許文献１】特開２００４−３０６９６６号公報
【発明の開示】
【発明が解決しようとする課題】
【０００６】
本発明は、従来における前記諸問題を解決し、以下の目的を達成することを課題とする。即ち、本発明は、テープカセットを収納する収納部を形成するための位置決めリブ及び補助リブの強度が向上すると共に、金型の耐久性も向上し、位置決めリブ及び補助リブの断面形状をＸ軸、Ｙ軸、及びＺ軸に直角な不連続形状とすることにより、金型加工が容易となり金型作製コストが削減でき、離型抵抗が小さくなり、成形性に優れたカセット収納ケースを提供することを目的とする。
【課題を解決するための手段】
【０００７】
前記課題を解決するための手段としては、以下の通りである。即ち、
＜１＞  テープカセットを収納するケース本体と、該ケース本体に被せられる蓋体と、前記ケース本体及び前記蓋体を開閉可能に連結する連結部とを備えたカセット収納ケースであって、
前記ケース本体が、該ケース本体に収納される前記テープカセットにおける四隅部で該テープカセットに当接する位置決めリブを有し、
前記位置決めリブが略Ｌ字形状であり、該位置決めリブのそれぞれの端縁から前記ケース本体の側壁に向かって延設される補助リブを有し、
前記ケース本体の側壁と前記補助リブとの間に空隙を有し、該補助リブにおける端面の高さが前記ケース本体における側壁の高さよりも低いことを特徴とするカセット収納ケースである。
該カセット収納ケースにおいては、前記テープカセットは、ケース本体に該テープカセットを収納する際、位置決めリブによって区画形成される収納部に収納される。前記ケース本体における側壁と前記位置決めリブにおける補助リブとの間に空隙を設け、該補助リブにおける端面の高さを前記ケース本体の側壁の高さよりも低く形成することにより、補助リブにおける端面とケース本体の側壁とからなる細くて長い、いわゆる「弱小部分」を小さくすることができる。その結果、補助リブの強度が向上すると共に、金型の耐久性も向上し、金型の加工が容易となり、金型作製コストが削減でき、成形性及び離型性が向上する。
＜２＞  補助リブの断面形状が、ケース本体の側壁に向かって不連続に形成されている前記＜１＞に記載のカセット収納ケースである。
該カセット収納ケースにおいては、補助リブの断面形状が、ケース本体の側壁に向かって不連続に形成されているので、補助リブの連続直線部分が短くなり離型抵抗が小さくなり、成形性が向上する。
＜３＞  補助リブの断面形状が、ケース本体の側壁に向かって階段状に形成されている前記＜１＞から＜２＞のいずれかに記載のカセット収納ケースである。
該カセット収納ケースにおいては、補助リブの断面形状が、ケース本体の側壁に向かって階段状に形成されているので、Ｘ軸、Ｙ軸、及びＺ軸に直角な形状なので金型加工が容易となり、金型作製コストを削減することができる。
＜４＞  補助リブの端面が、ケース本体の側壁に向かって漸次傾斜してテーパー面を形成している前記＜１＞から＜３＞のいずれかに記載のカセット収納ケースである。
該カセット収納ケースにおいては、補助リブの端面が、ケース本体の側壁に向かって漸次傾斜してテーパー面を形成しているので、前記ケース本体の側壁と前記補助リブとの間の弱小部分（空隙）の成形性が向上し、抜き勾配が大きくなるので成形時の離型性が向上する。
＜５＞  テープカセットを収納するケース本体と、該ケース本体に被せられる蓋体と、前記ケース本体及び前記蓋体を開閉可能に連結する連結部とを備えたカセット収納ケースであって、
前記ケース本体が、該ケース本体に収納される前記テープカセットにおける四隅部以外の位置で該テープカセットに当接する位置決めリブを有し、
前記位置決めリブが、前記ケース本体の側壁から、収納されるテープカセットにおける四隅部以外の四辺に向かって延設され、
前記ケース本体の側壁と前記位置決めリブとの間に空隙を有し、該位置決めリブにおける端面の高さが前記ケース本体における側壁の高さよりも低いことを特徴とするカセット収納ケースである。
該カセット収納ケースにおいては、前記ケース本体の側壁と前記位置決めリブとの間に空隙を設け、該位置決めリブにおける端面の高さが前記ケース本体における側壁の高さよりも低いので、前記ケース本体の側壁と前記位置決めリブとの間の弱小部分（空隙）を小さくすることができる。その結果、金型の耐久性が向上し、金型加工コストが削減でき、成形性及び離型性も向上する。
＜６＞  位置決めリブの断面形状が、ケース本体の側壁に向かって不連続に形成されている前記＜５＞に記載のカセット収納ケースである。
該カセット収納ケースにおいては、位置決めリブの断面形状が、ケース本体の側壁に向かって不連続に形成されているので、補助リブの連続直線部分が短くなり離型抵抗が小さくなり、成形性が向上する。
＜７＞  位置決めリブの断面形状が、ケース本体の側壁に向かって階段状に形成されている前記＜５＞から＜６＞のいずれかに記載のカセット収納ケースである。
該カセット収納ケースにおいては、位置決めリブの断面形状が、ケース本体の側壁に向かって階段状に形成されているので、Ｘ軸、Ｙ軸、及びＺ軸に直角な形状なので金型加工が容易となり、金型作製コストを削減することができる。
＜８＞  位置決めリブの端面が、ケース本体の側壁に向かって漸次傾斜してテーパー面を形成している前記＜５＞から＜７＞のいずれかに記載のカセット収納ケースである。
該カセット収納ケースにおいては、位置決めリブの端面が、ケース本体の側壁に向かって漸次傾斜してテーパー面を形成しているので、前記ケース本体の側壁と前記位置決めリブとからなる弱小部分（空隙）の成形性が向上し、抜き勾配が大きくなり成形時の離型性が向上する。する。
【発明の効果】
【０００８】
本発明によると、従来における問題を解決することができ、テープカセットを収納する収納部を形成するための位置決めリブ又は補助リブの強度が向上すると共に、金型の耐久性も向上し、位置決めリブ及び補助リブの断面形状をＸ軸、Ｙ軸、及びＺ軸に直角な不連続形状とすることにより、金型加工コストが削減でき、成形性及び離型性に優れたカセット収納ケースを提供することができる。
【発明を実施するための最良の形態】
【０００９】
本発明のカセット収納ケースは、ケース本体と、蓋体と、連結部とを有してなり、更に必要に応じてその他の部材を有してなる。
【００１０】
＜ケース本体＞
前記ケース本体は、テープカセットを収納することができれば特に制限はなく、目的に応じてその形状、構造、大きさ、材料などについては適宜選択することができる。
【００１１】
前記ケース本体の形状としては、特に制限はなく、収納するテープカセットの形状に応じて適宜選択することができ、例えば略長方形、略正方形などが挙げられる。
前記ケース本体の材料としては、特に制限はなく、目的に応じて適宜選択することができ、例えば、例えば、金属、プラスチック、紙、などが挙げられる。これらの中でも、成形性及び耐衝撃性に優れている点からプラスチックが特に好ましい。
前記金属としては、加工性の良いものが好ましく、例えば鉄、アルミニウム、黄銅、銅、ステンレススチールなどが挙げられる。これらは、１種単独で使用してもよいし、２種以上を併用してもよい。
【００１２】
前記プラスチックとしては、成形性及び耐衝撃性に優れているものが好ましく、例えばポリエチレンテレフタレート樹脂、ポリエチレン樹脂、ポリプロピレン樹脂、ポリスチレン樹脂、ポリエチレン樹脂、ポリカーボネート樹脂、ＡＢＳ樹脂、ポリ塩化ビニル樹脂、（メタ）アクリル樹脂、ナイロン、アルキッド樹脂、ポリブチレンテレフタレート樹脂、フッ素系樹脂、シリコーン系樹脂などが挙げられる。これらは、１種単独で使用してもよいし、２種以上を併用してもよい。これらの中でも、材料の入手が容易であると共に、廃品となった後の回収、又は再利用が可能で、成形性に優れている点から、ポリエチレン樹脂、ポリプロピレン樹脂が特に好ましい。
なお、前記プラスチックを使用する場合には、前記プラスチックに各種の繊維（ガラス繊維、カーボン繊維等）、充填剤（炭酸カルシウム、タルク、マイカ、クレー、カーボンナノチューブ、フラーレン等）などを配合することもできる。
【００１３】
前記紙としては、特に制限はなく、公知のものの中から目的に応じて適宜選択することができ、例えば、木材パルプ、古紙パルプなどが用いられる。前記木材パルプとしては、例えば、広葉樹晒クラフトパルプ（ＬＢＫＰ）、針葉樹晒クラフトパルプ（ＮＢＫＰ）、ＮＢＳＰ、ＬＢＳＰ、ＧＰ、ＴＭＰなどが挙げられる。
前記古紙パルプの原料としては、財団法人古紙再生促進センターの古紙標準品質規格表に示されている、上白、罫白、クリーム白、カード、特白、中白、模造、色白、ケント、白アート、特上切、別上切、新聞、雑誌などが挙げられる。具体的には、情報関連用紙である非塗工コンピュータ用紙、感熱紙、感圧紙等のプリンタ用紙；ＰＰＣ用紙等のＯＡ古紙；アート紙、コート紙、微塗工紙、マット紙等の塗工紙；上質紙、色上質、ノート、便箋、包装紙、ファンシーペーパー、中質紙、新聞用紙、更紙、スーパー掛け紙、模造紙、純白ロール紙、ミルクカートン等の非塗工紙；化学パルプ紙、高歩留りパルプ含有紙などが挙げられる。これらは、１種単独で使用してもよいし、２種以上を併用してもよい。
【００１４】
前記カセット収納ケースの成形方法としては、特に制限はなく、目的に応じて公知の方法の中から適宜選択することができ、材料としてプラスチックを用いた場合には、例えば、インフレーション成形、押出成形、射出成形、プレス成形、真空成形、ブロー成形、圧縮成形、トランスファ成形、カレンダー成形、スラッシュ成形、などが挙げられる。これらの中でも、射出成形が特に好ましい。
また、材料として紙を用いた場合には、例えば金型成型、注型成型、抜き型によりカットする方法などが挙げられる。
【００１５】
前記ケース本体の構造としては、特に制限はなく、目的に応じて適宜選択することができ、例えば、１種単独で形成されていてもよいし、２種以上の部材で形成されていてもよい。
【００１６】
前記ケース本体としては、特に制限はなく、目的に応じて適宜選択することができるが、例えば底板部と、該底板部の周縁部に沿って枠状に立設され、テープカセットを収納する収納部を形成する側壁と、位置決めリブとを有してなり、更に必要に応じてその他の部材を有してなる。
【００１７】
−底板部−
前記底板部としては、特に制限はなく、目的に応じてその形状、大きさ、材料、構造などについては適宜選択することができる。
前記底板部の形状としては、例えば略長方形、正方形、矩形、などが挙げられる。
前記底板部の構造としては、特に制限はなく、目的に応じて適宜選択することができ、例えば１種単独で形成されていてもよいし、２種以上の部材で形成されていてもよい。
前記底板部の材料としては、特に制限はなく、目的に応じて適宜選択することができるが、前記ケース本体と同じ材料が好適であり、前記底板部は、前記ケース本体が成型されるときに同時に成型されることが好ましい。
【００１８】
−側壁−
前記側壁としては、特に制限はなく、目的に応じてその形状、大きさ、材料、構造などについては適宜選択することができるが、底板部の周縁に沿って４つの側壁がそれぞれ連続的に立設されており、これら側壁に囲まれた領域にテープカセットが収納されるものが好ましい。
前記側壁の形状としては、例えば略長方形、正方形、矩形、などが挙げられる。
前記側壁の構造としては、特に制限はなく、目的に応じて適宜選択することができ、例えば１種単独で形成されていてもよいし、２種以上の部材で形成されていてもよい。
前記側壁の材料としては、特に制限はなく、目的に応じて適宜選択することができるが、前記ケース本体と同じ材料が好適であり、前記側壁は、前記ケース本体が成型されるときに同時に成型されることが好ましい。
【００１９】
−位置決めリブ−
前記位置決めリブは、ケース本体にテープカセットを収納する収納部を区画形成できるものであれば特に制限はなく、目的に応じてその形状、構造、材料、大きさ、数、位置などは適宜選択することができる。
【００２０】
前記位置決めリブの形状としては、特に制限はなく、目的に応じて適宜選択することができるが、略Ｌ字形状、略Ｔ字形状、略Ｕ字形状、収納されるテープカセットの四隅部以外の４辺に当接する平板と該平板を支持する脚部とからなるもの、などが挙げられる。
前記位置決めリブの構造としては、特に制限はなく、目的に応じて適宜選択することができ、例えば１種単独で形成されていてもよいし、２種以上の部材で形成されていてもよい。
前記位置決めリブの材料としては、特に制限はなく、目的に応じて適宜選択することができるが、前記ケース本体と同じ材料が好適であり、前記位置決めリブは、前記ケース本体が成型されるときに同時に成型されることが好ましい。
前記位置決めリブの大きさとしては、特に制限はなく、収納されるテープカセットの大きさに応じて適宜選定することができる。
前記位置決めリブの位置としては、特に制限はなく、目的に応じて適宜選択することができ、例えば（１）収納されるテープカセットにおける四隅部、（２）収納されるテープカセットにおける四隅部以外の四辺のうちの少なくとも１つの辺、（３）四隅部以外の四辺のうちの少なくとも１つの辺と、収納されるテープカセットにおける四隅部のうちの１つの隅部、四隅部のうちの２つの隅部、四隅部のうちの３つの隅部との組み合わせ、などが挙げられる。
前記位置決めリブの数としては、特に制限はなく、目的に応じて適宜選択することができ、例えば、収納されるテープカセットの四隅部に設ける場合には４つであり、収納されるテープカセットにおける四隅部以外の位置に設ける場合には４つ以上が好ましく、４〜１０つがより好ましい。
【００２１】
前記位置決めリブとしては、ケース本体に収納されるテープカセットにおける四隅部で該テープカセットに当接し、該位置決めリブが略Ｌ字形状であり、該位置決めリブのそれぞれの端縁から前記ケース本体の側壁に向かって延設される補助リブを有する。
前記ケース本体の側壁と前記補助リブとの間に空隙を有し、該補助リブにおける端面の高さが前記ケース本体の側壁の高さよりも低くする。これにより、前記ケース本体の側壁と前記補助リブの端面との間の弱小部分（空隙）を小さくすることができる。その結果、補助リブの強度が向上すると共に、金型耐久性も向上し、金型の加工が容易となり、金型作製コストが削減でき、成形性及び離型性が向上する。
前記補助リブの断面形状が、ケース本体の側壁に向かって不連続に形成されていることが好ましい。これにより、補助リブの連続直線部分が短くなり離型抵抗が小さくなり、成形性が向上する。また、前記補助リブの断面形状が、ケース本体の側壁に向かって階段状に形成されていることがより好ましい。これにより、補助リブの断面形状が、Ｘ軸、Ｙ軸、及びＺ軸に直角な形状なので金型加工が容易となり、金型作製コストを削減することができる。
前記補助リブの端面が、ケース本体の側壁に向かって漸次傾斜してテーパー面を形成していることが好ましい。これにより、補助リブにおける端面の抜き勾配が大きくなり、成形時の離型性が向上する。
【００２２】
また、前記位置決めリブとしては、前記ケース本体の側壁と前記位置決めリブとの間に空隙を有し、該位置決めリブにおける端面の高さが前記側壁の高さよりも低くする。これにより、前記ケース本体の側壁と前記位置決めリブの端面との間の弱小部分（空隙）を小さくすることができる。その結果、位置決めリブの強度が向上すると共に、金型耐久性も向上し、金型の加工が容易となり、金型作製コストが削減でき、成形性及び離型性が向上する。
前記位置決めリブの断面形状が、ケース本体の側壁に向かって不連続に形成されていることが好ましい。これにより、位置決めリブの連続直線部分が短くなり離型抵抗が小さくなり、成形性が向上する。また、前記位置決めリブの断面形状が、ケース本体の側壁に向かって階段状に形成されていることがより好ましい。これにより、位置決めリブの断面形状が、Ｘ軸、Ｙ軸、及びＺ軸に直角な形状なので金型加工が容易となり、金型作製コストを削減することができ、補助リブにおける端面の抜き勾配が大きくなり、成形時の離型性が向上する。
【００２３】
前記位置決めリブは、収納されるテープカセットにおける互いに対向する位置に設けられていることが好ましい。例えば収納されるテープカセットの長手方向及び短手方向の少なくともいずれかに対向して設けられ、これにより、更に安定かつバランス良くテープカセットを収納することができる。
前記位置決めリブと、ケース本体の側壁との間に空隙を有することが好ましい。これにより、位置決めリブとケース本体とが分断されているので、位置決めリブの当接強度を適切な状態に調整することができ、位置決めリブをケース本体から着脱可能とすることができる。
また、前記位置決めリブとケース本体とが係合可能であり、該位置決めリブと該ケース本体とを係合させることにより該位置決めリブが該ケース本体に取り付け可能であり、
該位置決めリブと該ケース本体との係合を解除することにより該位置決めリブが該ケース本体から取り外し可能である。前記係合手段としては、例えば、位置決めリブ及びケース本体に互いに係合可能な凹部と凸部とを設ける方法などが挙げられる。
このように位置決めリブがケース本体に着脱可能であるため、収納されるテープカセットに応じて、自由に位置決めリブの数、位置を調整することができる。
【００２４】
前記位置決めリブは、収納されるテープカセットにおけるテープ開口部及びその近傍を封鎖可能（密閉可能）に設けることが好ましい。これにより、収納されるテープカセットにおけるテープ開口部及びその近傍に当接して、該テープ開口部及びその近傍を密閉することができるので、防塵性が向上する。
【００２５】
＜蓋体＞
前記蓋体は、前記ケース本体に被せられることができれば特に制限はなく、目的に応じてその形状、構造、大きさ、材料、などについては適宜選択することができる。
【００２６】
前記蓋体の形状としては、特に制限はなく、前記ケース本体の形状に応じて適宜選択することができ、例えば略長方形、略正方形などが挙げられる。
前記蓋体の材料としては、特に制限はなく、目的に応じて適宜選択することができ、前記ケース本体と同じ材料が好適である。
前記蓋体の構造としては、特に制限はなく、目的に応じて適宜選択することができ、例えば１種単独で形成されていてもよいし、２種以上の部材で形成されていてもよい。
【００２７】
前記蓋体としては、特に制限はなく、目的に応じて適宜選択することができるが、例えば天板部と、該天板部の周縁部を囲繞するように立設され、前記ケース本体の側壁の外側に嵌合可能な形状とされた側壁とを有してなり、更に必要に応じてその他の部材を有してなる。
【００２８】
−天板部−
前記天板部としては、特に制限はなく、目的に応じてその形状、大きさ、材料、構造などについては適宜選択することができる。
前記天板部の形状としては、例えば略長方形、正方形、矩形、などが挙げられる。
前記天板部の構造としては、特に制限はなく、目的に応じて適宜選択することができ、例えば１種単独で形成されていてもよいし、２種以上の部材で形成されていてもよい。
前記天板部の材料としては、特に制限はなく、目的に応じて適宜選択することができるが、前記蓋体と同じ材料が好適であり、前記天板部は、前記蓋体が成型されるときに同時に成型されることが好ましい。
【００２９】
−側壁−
前記側壁としては、特に制限はなく、目的に応じてその形状、大きさ、材料、構造などについては適宜選択することができるが、天板部の周縁に沿って４つの側壁がそれぞれ連続的に立設されており、これら側壁に囲まれた領域にテープカセットが収納されるものが好ましい。
前記側壁の形状としては、例えば略長方形、正方形、矩形、などが挙げられる。
前記側壁の構造としては、特に制限はなく、目的に応じて適宜選択することができ、例えば１種単独で形成されていてもよいし、２種以上の部材で形成されていてもよい。
前記側壁の材料としては、特に制限はなく、目的に応じて適宜選択することができるが、前記蓋体と同じ材料が好適であり、前記側壁は、前記蓋体が成型されるときに同時に成型されることが好ましい。
【００３０】
＜連結部＞
前記連結部は、前記ケース本体及び前記蓋体を開閉可能に連結することができれば特に制限はなく、目的に応じて形状、構造、大きさ、材料、などについては適宜選択することができる。
前記ケース本体と前記連結部との間はヒンジを介して開閉可能に連結されており、前記蓋体と前記連結部との間はヒンジを介して開閉可能に連結されている。
前記ヒンジとしては、前記連結部と前記ケース本体及び前記蓋体とを開閉可能に連結できれば特に制限はなく、公知のものの中から目的に応じて適宜選択することができる。
【００３１】
前記連結部の形状としては、特に制限はなく、目的に応じて適宜選択することができ、例えば略長方形、略正方形、略矩形などが挙げられる。
前記連結部の材料としては、特に制限はなく、目的に応じて適宜選択することができ、前記ケース本体と同じ材料が好適である。
前記連結部の構造としては、特に制限はなく、目的に応じて適宜選択することができ、例えば１種単独で形成されていてもよいし、２種以上の部材で形成されていてもよい。
【００３２】
＜その他の部材＞
前記その他の部材としては、特に制限はなく、目的に応じて適宜選択することができ、例えばケース本体の底板部の正面略中央部には、ヒンジを介してフラップ板が連結されている。このフラップ板は、蓋体の正面壁部に突設された係止部に係止される鉤部が設けられている。これにより、ケースを閉じた際、フラップ板を折り返して鉤部と係止部とを互いに係止させることによって、カセット収納ケースのサイドロック機能が得られることになる。
【００３３】
本発明のカセット収納ケースにおいては、前記ケース本体の側壁と前記位置決めリブにおける補助リブとの間に空隙を設け、該補助リブにおける端面の高さが前記ケース本体の側壁の高さよりも低く形成することにより、前記ケース本体の側壁と前記補助リブの端面からなる細くて長い、いわゆる「弱小部分」を小さくすることができる。その結果、補助リブの強度が向上すると共に、金型耐久性も向上し、金型の加工が容易となり、金型作製コストが削減でき、成形性及び離型性が向上する。
【実施例】
【００３４】
以下、本発明の実施例について図面を用いて具体的に説明するが、本発明はこれら実施例に何ら限定されるものではない。
【００３５】
（実施例１）
図１は本発明の実施例１に係るカセット収納ケース１０の全体斜視図、図２はカセット収納ケース１０の全体平面図である。
【００３６】
このカセット収納ケース１０は、図１及び図２に示すように、テープカセットが収納されるケース本体１１と、このケース本体１１に被せられる蓋体１２と、ケース本体１１と蓋体１２とを開閉可能に連結する連結部１３とを備えている。ケース本体１１と連結部１３との間はヒンジ１４を介して開閉可能に連結されており、蓋体１２と連結部１３との間はヒンジ１５を介して開閉可能に連結されている。
【００３７】
ケース本体１１は、略長方形状の底板部２１を有しており、この底板部２１上に各種構造体が立ち上げ形成されている。
底板部２１には、その周縁に沿って４つの側壁２２ｆ，２２ｂ，２２ｓ及び２２ｓがそれぞれ連続的に立ち上がり形成されている。このうち、側壁２２ｆは正面壁部を構成し、側壁２２ｂは背面壁部を構成する。また、側壁２２ｓ，２２ｓは左右の側壁部を構成している。これらの側壁は互いに連続的に形成されている。
【００３８】
図１及び図２中、ケース本体１１の底板部２１の略中央部には、これに収納されるテープカセットのリールハブを受ける環状のハブ受けリブ２４、カセットシェルの下面を支持する放射状の支持リブ２５、カセットシェルの下面に穿設されているテープエンド検出用孔に嵌合する嵌合リブ２６、及び、テープカセットの収納姿勢方向を示す表示２７がそれぞれ設けられている。
【００３９】
ここで、ハブ受けリブ２４の高さは、カセット載置時、当該カセットの下シェルが支持リブ２５上端との間に一定の隙間が形成されるように設計されている。また、表示２７は、テープカセットの前方向が連結部１３側であることを示唆する矢印で構成されているが、特にこれに限定されることはない。例えば、テープカセットの正規の姿勢を模式的に示す図形表示で該表示２７を構成してもよい。
【００４０】
蓋体１２は略長方形状の天板部３１を有し、この天板部３１には、その周縁に沿って３つの側壁３２ｆ，３２ｓ及び３２ｓがそれぞれ連続的に立ち上がり形成されている。このうち、側壁３２ｆは、ケースを閉じた際にケースの正面壁部を構成し、３２ｓは左右の側壁部を構成する。これらの側壁３２ｆ，３２ｓは、ケースを閉じた際、ケース本体の側壁２２ｆ，２２ｓの外方側に位置するように構成されている。
【００４１】
天板部３１には、カセット収納時、テープカセットのカセットシェルの上面を押圧する押圧リブ３３，３４がそれぞれ設けられている。また、側壁３２ｆの内面側には、ケースを閉じた際、ケース本体１１の正面壁部２２ｆと蓋体１２の正面壁部３２ｆとの間の相対距離を規制する規制部３６が設けられている。
【００４２】
更に、蓋体１２の左右の側壁部３２ｓの内面側には、ケースを閉じた際、ケース本体１１の側壁部２２ｓに形成された係合孔２８に係合する係合凸部３５がそれぞれ設けられている。これら係合孔２８及び係合凸部３５によって、カセット収納ケース１０の側壁ロック部を構成している。なお、係合孔２８が設けられる側壁部２２ｓの上面には、係合凸部３５を係合孔２８へガイドするためのテーパー面２９が形成されている。
【００４３】
連結部１３には、ケースを閉じた際、ケース本体１１の背面壁部２２ｂの外面側に当接するストッパ３７が突設されている。このストッパ３７は、連結部１３とケース本体１１の背面壁部２２ｂとの間の最近接位置を規制する機能を有している。
【００４４】
ケース本体１１の底板部２１の正面略中央部には、ヒンジ４２を介してフラップ板４１が連結されている。このフラップ板４１には、蓋体１２の正面壁部３２ｆに突設された係止部４４に係止される鉤部４３が設けられている。これにより、ケースを閉じた際、フラップ板４１を折り返して鉤部４３と係止部４４とを互いに係止させることによって、カセット収納ケース１０のサイドロック機能が得られることになる。
【００４５】
次に、図３に示すように、ケース本体１１は、図中点線で表される収納されるテープカセットにおける四隅部で該テープカセットに当接する位置決めリブ２３Ａ〜２３Ｄを有している。略Ｌ字形状の位置決めリブ２３Ａ〜２３Ｄのそれぞれの端縁からケース本体の４つの側壁２２ｆ，２２ｂ，２２ｓ及び２２ｓに向かって、該位置決めリブの内方への反り又は変形を防止するため、補助リブ５４Ａ，５４Ｂが延設されている。
【００４６】
図３中Ｂ−Ｂ線方向断面図である図５に示すように、ケース本体の側壁２２ｓと、補助リブ５４Ｂの端面１０３との間には空隙１０２を有しており、補助リブ５４Ｂの端面１０３の高さｔ２がケース本体の側壁２２ｓの高さｔ１よりも低く形成され、ｔ２≦０．６×ｔ１を満たすことが好ましい。これにより、ケース本体の側壁２２ｓと、補助リブ５４Ｂの端面１０３との間の空隙１０２からなる弱小部分を小さくすることができ、補助リブの強度が向上すると共に、金型の耐久性も向上する。
また、図５に示すように、補助リブ５４Ｂの断面形状が、ケース本体の側壁に向かって連続的に形成され、ケース本体の側壁に向かって低高となる傾斜面を有しているので、成形時の離型性が向上する。
また、図５に示す補助リブは、図６に示すように、補助リブの端面１０３がケース本体の側壁に向かって漸次傾斜してテーパー面を形成しているので、補助リブにおける端面１０３の抜き勾配が大きくなり、成形時の離型性が向上する。
【００４７】
また、図７に示すように、補助リブの端面１０３の高さｔ２がケース本体の側壁２２ｓの高さｔ１よりも低く形成すると共に、補助リブの断面形状を不連続的に形成し、ケース本体の側壁２２ｓに向かって５４Ｂｂと５４Ｂａとからなる段差を有している。これにより、補助リブの連続直線部分が短くなり離型抵抗が小さくなり、成形性が向上する。また、補助リブの断面形状がＸ軸、Ｙ軸、及びＺ軸に直角な形状であるため金型加工が容易となり、金型作製コストを削減することができる。
また、図７に示す補助リブは、図８に示すように、補助リブの端面１０３がケース本体の側壁に向かって漸次傾斜してテーパー面を形成しているので、補助リブにおける端面１０３の抜き勾配が大きくなり、成形時の離型性が向上する。
【００４８】
また、図９に示すように、補助リブの端面１０３の高さｔ２がケース本体の側壁２２ｓの高さｔ１よりも低く形成すると共に、補助リブの断面形状を不連続的に形成し、ケース本体の側壁２２ｓに向かって５４Ｂｃ、５４Ｂｂ、５４Ｂａからなる階段状に形成している。これにより、補助リブの連続直線部分が短くなり離型抵抗が小さくなり、成形性が向上する。また、補助リブの断面形状がＸ軸、Ｙ軸、及びＺ軸に直角な形状であるため金型加工が容易となり、金型作製コストを削減することができる。
また、図９に示す補助リブは、図１０に示すように、補助リブの端面１０３がケース本体の側壁に向かって漸次傾斜してテーパー面を形成しているので、補助リブにおける端面１０３の抜き勾配が大きくなり、成形時の離型性が向上する。
【００４９】
なお、以上の説明では、図３中のＣ−Ｃ線方向断面図における補助リブに基づいて説明したが、図３中のＢ−Ｂ線方向断面図における補助リブについても、同様の構成及び作用を有しているので、その説明を省略する。
【００５０】
以上説明したように、本発明の実施例１に係るカセット収納ケースにおいては、図１〜図３、及び図５〜図１０に示すように、ケース本体の側壁と前記位置決めリブにおける補助リブとの間に空隙を設け、該補助リブにおける端面の高さが前記ケース本体の側壁の高さよりも低く形成することにより、前記ケース本体の側壁と前記補助リブの端面との間の弱小部分（空隙）を小さくすることができ、補助リブの強度が向上すると共に、金型耐久性も向上し、金型の加工が容易となり、金型作製コストが削減でき、成形性及び離型性が向上する。
また、ケース本体の側壁に向かって、補助リブの断面形状を不連続な階段形状とすることにより、Ｘ軸、Ｙ軸、及びＺ軸に直角な形状であるため金型加工が容易となり、金型作製コストを削減することができる。
【００５１】
（実施例２）
実施例２のカセット収納ケースは、位置決めリブとしてケース本体に収納されるテープカセットにおける四隅部以外の位置で該テープカセットに当接し、補助リブを有さない以外は、実施例１と同様の構成からなるので、共通する構成部分の説明は省略する。
【００５２】
図１１は、本発明の実施例２に係るカセット収納ケース１０の全体平面図、図１２はカセット収納ケース１０のケース本体１１の拡大図である。
このカセット収納ケース１０では、略Ｌ字形状の位置決めリブ２３Ａ〜２３Ｈが、ケース本体の側壁から、図中点線で表される収納されるテープカセットの四隅部以外の４辺に、それぞれ２つずつ、合計８つ延設されている。
位置決めリブ２３Ａ及び２３Ｈと、位置決めリブ２３Ｄ及び２３Ｅとは収納されるテープカセットの長手方向に互いに対向して設けられている。
位置決めリブ２３Ｂ及び２３Ｃと、位置決めリブ２３Ｇ及び２３Ｆとは収納されるテープカセットの短手方向に互いに対向して設けられている。
このように略Ｌ字形状の位置決めリブが、四隅以外の４辺からそれぞれ２つずつ、合計８つ、互いに対向して設けられているので、テープカセットを安定かつバランスよく収納することができる。
図１１及び図１２では、位置決めリブ２３Ａ〜２３Ｈは、いずれもケース本体の側壁との間に空隙を有している。これにより、位置決めリブの当接強度が強すぎないように調整することができる。また、位置決めリブをケース本体から着脱可能とすることができる。即ち、位置決めリブとケース本体とを係合可能に形成し、該位置決めリブと該ケース本体とを係合させることにより該位置決めリブが該ケース本体に取り付け可能とし、該位置決めリブと該ケース本体との係合を解除することにより該位置決めリブを該ケース本体から取り外し可能とすることができる。
【００５３】
図１３では、略Ｔ字形状の位置決めリブ２３Ａ〜２３Ｈが、ケース本体の側壁から、図中点線で表される収納されるテープカセットの四隅部以外の４辺に、それぞれ２つずつ、合計８つ延設されている。この略Ｔ字形状の位置決めリブは、略Ｔ字形状の位置決めリブに比べて収納されるテープカセットと当接する部分を大きくすることができるので、更に安定かつバランス良くテープカセットを収納することができる。
位置決めリブ２３Ａ及び２３Ｈと、位置決めリブ２３Ｄ及び２３Ｅとは収納されるテープカセットの長手方向に互いに対向している。
位置決めリブ２３Ｂ及び２３Ｃと、位置決めリブ２３Ｇ及び２３Ｆとは収納されるテープカセットの短手方向に互いに対向している。
このように略Ｔ字形状の位置決めリブが、四隅以外の４辺からそれぞれ２つずつ、合計８つ、互いに対向して設けられているので、テープカセットを安定かつバランスよく収納することができる。
図１３では、位置決めリブ２３Ａ〜２３Ｈは、いずれもケース本体の側壁との間に空隙を有している。これにより、位置決めリブの当接強度が強すぎないように調整することができる。また、位置決めリブをケース本体から着脱可能とすることができる。即ち、位置決めリブとケース本体とを係合可能に形成し、該位置決めリブと該ケース本体とを係合させることにより該位置決めリブが該ケース本体に取り付け可能とし、該位置決めリブと該ケース本体との係合を解除することにより、該位置決めリブを該ケース本体から取り外し可能とすることができる。
【００５４】
図１４では、略Ｕ字形状の位置決めリブ２３Ａ〜２３Ｈが、ケース本体の側壁から、図中点線で表される収納されるテープカセットの四隅部以外の４辺に、それぞれ２つずつ、合計８つ延設されている。この略Ｕ字形状の位置決めリブは、略Ｌ字形状及び略Ｔ字形状の位置決めリブに比べて、ケース本体と接する部分が大きく、ケース本体と強固に設けられているので、更に安定かつバランス良くテープカセットを収納することができる。
位置決めリブ２３Ａ及び２３Ｈと、位置決めリブ２３Ｄ及び２３Ｅとは収納されるテープカセットの長手方向に互いに対向している。
位置決めリブ２３Ｂ及び２３Ｃと、位置決めリブ２３Ｇ及び２３Ｆとは収納されるテープカセットの短手方向に互いに対向している。
このように略Ｕ字形状の位置決めリブが、四隅以外の４辺からそれぞれ２つずつ、合計８つ、互いに対向して設けられているので、テープカセットを安定かつバランスよく収納することができる。
図１４では、位置決めリブ２３Ａ〜２３Ｈは、いずれもケース本体の側壁との間に空隙を有している。これにより、位置決めリブの当接強度が強すぎないように調整することができる。また、位置決めリブをケース本体から着脱可能とすることができる。即ち、位置決めリブとケース本体とを係合可能に形成し、該位置決めリブと該ケース本体とを係合させることにより、該位置決めリブが該ケース本体に取り付け可能とし、該位置決めリブと該ケース本体との係合を解除することにより該位置決めリブを該ケース本体から取り外し可能とすることができる。
【００５５】
図１５では、図中点線で表される収納されるテープカセットの四隅部以外の４辺に当接する平板と該平板を支持する脚部とからなる位置決めリブ２３Ａ〜２３Ｄが、合計４つ設けられている。
位置決めリブ２３Ａ及び２３Ｃは、平板を支持する脚部を２つ有し、これら２つの脚部はケース本体の側壁から延設されており、位置決めリブ２３Ａと、位置決めリブ２３Ｃとは収納されるテープカセットの長手方向に互いに対向して設けられている。
位置決めリブ２３Ｂ及び２３Ｄは、平板を支持する脚部を３つ有し、これら３つの脚部はケース本体の側壁から延設されており、位置決めリブ２３Ｂと、位置決めリブ２３Ｄとは収納されるテープカセットの短手方向に互いに対向して設けられている。
図１５では、位置決めリブ２３Ａ〜２３Ｄは、いずれも脚部がケース本体の側壁との間に空隙を有している。これにより、位置決めリブの当接強度が強すぎないように調整することができる。また、位置決めリブをケース本体から着脱可能とすることができる。即ち、位置決めリブとケース本体とを係合可能に形成し、該位置決めリブと該ケース本体とを係合させることにより該位置決めリブが該ケース本体に取り付け可能とし、該位置決めリブと該ケース本体との係合を解除することにより該位置決めリブが該ケース本体から取り外し可能とすることができる。
また、図１５では、位置決めリブにおける平板が、収納されるテープカセットにおけるテープ開口部及びその近傍に当接して、該テープ開口部及びその近傍を密閉するので防塵性を向上させることができる。
【００５６】
次に、図１２〜図１５中のＤ−Ｄ線方向断面図である図１６に示すように、ケース本体の側壁２２ｓと、位置決めリブ２３Ｃの端面１０４との間には空隙１０２を有している。位置決めリブ２３Ｃにおける端面１０４の高さｔ２がケース本体の側壁２２ｓの高さｔ１よりも低く形成され、ｔ２≦０．６×ｔ１を満たすことが好ましい。これにより、ケース本体の側壁２２ｓと、位置決めリブにおける端面１０４との間の空隙１０２からなる弱小部分を小さくすることができ、位置決めリブの強度が向上すると共に、金型の耐久性も向上する。
また、図１６に示すように、位置決めリブ２３Ｃの断面形状が、連続的に形成され、ケース本体の側壁に向かって低高となる傾斜面を有しているので、成形時の離型性が向上する。
また、図１６に示す位置決めリブは、図１７に示すように、位置決めリブにおける端面１０４をケース本体の側壁２２ｓに向かって漸次傾斜してテーパー面を形成することにより、位置決めリブにおける端面１０４の抜き勾配が大きくなるので、成形時の離型性が向上する。
【００５７】
また、図１８に示すように、位置決めリブ２３Ｃにおける端面１０４の高さｔ２がケース本体の側壁２２ｓの高さｔ１よりも低く形成すると共に、位置決めリブ２３Ｃの断面形状を不連続的に形成し、ケース本体の側壁に向かって２３Ｃｂと２３Ｃａとからなる段差を有している。これにより、位置決めリブの連続直線部分が短くなり離型抵抗が小さくなり、成形性が向上する。また、位置決めリブの断面形状がＸ軸、Ｙ軸、及びＺ軸に直角な形状であるため金型加工が容易となり、金型作製コストを削減することができる。
また、図１８に示す位置決めリブは、図１９に示すように、位置決めリブにおける端面１０４をケース本体の側壁２２ｓに向かって漸次傾斜してテーパー面を形成することにより、位置決めリブにおける端面１０４の抜き勾配が大きくなるので、成形時の離型性が向上する。
【００５８】
また、図２０に示すように、位置決めリブ２３Ｃにおける端面１０４の高さｔ２がケース本体の側壁２２ｓの高さｔ１よりも低く形成すると共に、位置決めリブ２３Ｃにおける断面形状を不連続的に形成し、ケース本体の側壁に向かって２３Ｃｃ、２３Ｃｂ、２３Ｃａからなる階段状に形成している。これにより、位置決めリブの連続直線部分が短くなり離型抵抗が小さくなり、成形性が向上する。また、位置決めリブの断面形状がＸ軸、Ｙ軸、及びＺ軸に直角な形状であるため金型加工が容易となり、金型作製コストを削減することができる。
また、図２０に示す位置決めリブは、図２１に示すように、位置決めリブの端面１０４がケース本体の側壁２２ｓに向かって漸次傾斜してテーパー面を形成しているので、補助リブにおける端面１０４の抜き勾配が大きくなるので、成形時の離型性が向上する。
【００５９】
なお、以上の説明では、図１２〜図１５中のＤ−Ｄ線方向断面図における位置決めリブについて説明したが、図１２〜図１５中のＥ−Ｅ線方向断面図における位置決めリブについても同様の構成及び作用を有するので、その説明を省略する。
【００６０】
以上説明したように、本発明の実施例２に係るカセット収納ケースにおいては、図１１〜図２１に示すように、ケース本体の側壁と前記位置決めリブとの間に空隙を設け、該位置決めリブにおける端面の高さが前記ケース本体の側壁の高さよりも低く形成することにより、前記ケース本体の側壁と前記位置決めリブの端面との間の弱小部分（空隙）を小さくすることができ、位置決めリブの強度が向上すると共に、金型耐久性も向上し、金型の加工が容易となり、金型作製コストが削減でき、成形性及び離型性が向上する。
また、ケース本体の側壁に向かって、位置決めリブの断面形状を不連続な階段形状とすることにより、Ｘ軸、Ｙ軸、及びＺ軸に直角な形状であるため金型加工が容易となり、金型作製コストを削減することができる。
【００６１】
以上の実施例では、ＤＶ用、ＨＤＶ用の小型カセット収納ケースについて説明したが、カセットの種類はこれに限られず、他のフォーマット形式のカセット収納ケースに対しても本発明は適用可能である。
【００６２】
以上、本発明のカセット収納ケースの一実施例について詳細に説明したが、本発明は前記実施例に限定されず、本発明の要旨を逸脱しない範囲で種々変更しても差し支えない。
【産業上の利用可能性】
【００６３】
本発明のカセット収納ケースは、位置決めリブ又は補助リブの強度が向上すると共に、金型耐久性も向上し、金型作製コストが削減でき、成形性及び離型性が向上するので、各種記録媒体の収納ケースとして好適である。
【図面の簡単な説明】
【００６４】
【図１】図１は、カセット収納ケースの一例を示す全体斜視図である。
【図２】図２は、カセット収納ケースの一例を示す全体平面図である。
【図３】図３は、図２のケース本体の拡大図である。
【図４】図４は、従来のカセット収納ケースの補助リブにおける図３のＣ−Ｃ線方向断面図である。
【図５】図５は、本発明のカセット収納ケースの補助リブにおける図３のＣ−Ｃ線方向断面図である。
【図６】図６は、本発明のカセット収納ケースの別の補助リブにおける図３のＣ−Ｃ線方向断面図である。
【図７】図７は、本発明のカセット収納ケースの別の補助リブにおける図３のＣ−Ｃ線方向断面図である。
【図８】図８は、本発明のカセット収納ケースの別の補助リブにおける図３のＣ−Ｃ線方向断面図である。
【図９】図９は、本発明のカセット収納ケースの別の補助リブにおける図３のＣ−Ｃ線方向断面図である。
【図１０】図１０は、本発明のカセット収納ケースの別の補助リブにおける図３のＣ−Ｃ線方向断面図である。
【図１１】図１１は、本発明の別のカセット収納ケースの全体平面図であり、略Ｌ字形状の位置決めリブを用いた例である。
【図１２】図１２は、図１１のケース本体の拡大図である。
【図１３】図１３は、本発明のカセット収納ケースのケース本体の別の拡大図を示し、略Ｔ字形状の位置決めリブを用いた例である。
【図１４】図１４は、本発明のカセット収納ケースのケース本体の別の拡大図を示し、略Ｕ字形状の位置決めリブを用いた例である。
【図１５】図１５は、本発明のカセット収納ケースのケース本体の更に別の拡大図である。
【図１６】図１６は、本発明のカセット収納ケースの位置決めリブにおける図１２〜図１５のＤ−Ｄ線方向断面図である。
【図１７】図１７は、本発明のカセット収納ケースの別の位置決めリブにおける図１２〜図１５のＤ−Ｄ線方向断面図である。
【図１８】図１８は、本発明のカセット収納ケースの別の位置決めリブにおける図１２〜図１５のＤ−Ｄ線方向断面図である。
【図１９】図１９は、本発明のカセット収納ケースの別の位置決めリブにおける図１２〜図１５のＤ−Ｄ線方向断面図である。
【図２０】図２０は、本発明のカセット収納ケースの別の位置決めリブにおける図１２〜図１５のＤ−Ｄ線方向断面図である。
【図２１】図２１は、本発明のカセット収納ケースの別の位置決めリブにおける図１２〜図１５のＤ−Ｄ線方向断面図である。
【符号の説明】
【００６５】
１０      カセット収納ケース
１１      ケース本体
１２      蓋体
１３      連結部
１４      ヒンジ
１５      ヒンジ
２１      底板部
２２ｆ、２２ｂ、２２ｓ      側壁
２３Ａ〜２３Ｈ      位置決めリブ
２４      ハブ受けリブ
２５      支持リブ
２６      嵌合リブ
２７      表示
２８      係合孔
３１      天板部
３２ｆ、３２ｓ      側壁
３３、３４      押圧リブ
３５      係合凸部
３６      規制部
３７      ストッパ
４１      フラップ板
４３      鉤部
４４      係止部
５４Ａ、５４Ｂ      補助リブ
５５      係合突起
１０２      隙間
１０３      補助リブの端面
１０４      位置決めリブの端面
【図２】
2008105700.tif 000003
【図３】
2008105700.tif 000004
【図４】
2008105700.tif 000005
【図５】
2008105700.tif 000006
【図６】
2008105700.tif 000007
【図７】
2008105700.tif 000008
【図８】
2008105700.tif 000009
【図９】
2008105700.tif 000010
【図１０】
2008105700.tif 000011
【図１１】
2008105700.tif 000012
【図１２】
2008105700.tif 000013
【図１３】
2008105700.tif 000014
【図１４】
2008105700.tif 000015
【図１５】
2008105700.tif 000016
【図１６】
2008105700.tif 000017
【図１７】
2008105700.tif 000018
【図１８】
2008105700.tif 000019
【図１９】
2008105700.tif 000020
【図２０】
2008105700.tif 000021
【図２１】
2008105700.tif 000022
【図１】
2008105700.tif 000023